(57)【要約】      （修正有）【課題】搬送用のパレットにおいて使用材料を少なくしてコスト低減を図る。【解決手段】１つの搬送荷物に対して２つの搬送用パレットで搬送が行われる搬送用パレットであって、搬送用パレットは搬送荷物を搬送する場合に、該搬送荷物の下面の中央に対して両側に取り付けられ、取り付けられる場合に、搬送荷物の下面の両側に備えられた挿入孔の一方へ挿入して搬送荷物と搬送用パレットとの固定を行う挿入部材を上面に備え、２つの搬送用パレットが組み合わされる場合に、もう一方のパレットの挿入部材が挿入される挿入孔を上面中央に対して自身の挿入部材と反対側に備え、自身の挿入部材はもう一方の搬送用パレットの挿入孔へ挿入される。【選択図】図１
2011011802.tif 000002
【特許請求の範囲】
【請求項１】
１つの搬送荷物に対して２つの搬送用パレットで搬送が行われる搬送用パレットであって、
前記搬送用パレットは搬送荷物を搬送する場合に、該搬送荷物の下面の中央に対して両側に取り付けられ、
該取り付けられる場合に、前記搬送荷物の下面の両側に備えられた挿入孔の一方へ挿入して搬送荷物と搬送用パレットとの固定を行う挿入部材を上面に備え、
２つの搬送用パレットが組み合わされる場合に、もう一方のパレットの前記挿入部材が挿入される挿入孔を上面中央に対して自身の前記挿入部材と反対側に備え、自身の前記挿入部材はもう一方の搬送用パレットの前記挿入孔へ挿入されることを特徴とする搬送用パレット。
【請求項２】
請求項１において、前記搬送用荷物と接する上面がプラスチック製であることを特徴とする搬送用パレット。
【請求項３】
請求項１において、前記搬送用パレットの正面にはフォークリフトのフォークが挿入される空間が形成されていることを特徴とする搬送用パレット。
【請求項４】
請求項３において、前記フォークと接する下面及び上面がプラスチック製であることを特徴とする搬送用パレット。
【請求項５】
請求項１〜４の何れかにおいて、搬送荷物の下面の中央に対して両側に２つの搬送用パレットが取り付けられた状態において、それぞれの搬送用パレットは所定距離だけ離れて取り付けられていることを特徴とする搬送用パレット。
【発明の詳細な説明】
【技術分野】
【０００１】
本発明は、工場や倉庫などで製品又は半製品の移動及び運搬に使用される搬送用パレットの構造に関する。
【背景技術】
【０００２】
工場や倉庫においては、製品又は半製品の移動、運搬、荷積み、荷降ろし等の荷役のためにフォークリフトが用いられることが多い。この荷役作業の際に製品は搬送用パレットの上に設置され、この状態においてフォークリフトにより搬送用パレットが移動することで製品の荷役作業が行われる。
【０００３】
ここで搬送用のパレットの従来例として特許文献１に記載のものがある。特許文献１の要約の欄には、「パレットを２枚のパレット部材を用いて組み立てる構造とすることにより、使用時には組み立てて従来の平パレットと同様に使用し、回収および保管時には分解して積み重ねることにより少ないスペースで済むようにする。」ということについての開示がある。また段落(０００７)には、「図５は、パレット部材１を積み重ねた状態を示すものであり、下部のクランプ５は、折り畳まれた状態で格納されるため、格納時の厚さを隔てて上部にパレット部材１を積み重ねることができる。また、ブロック３の壁は勾配をもって成形されているため、積み重ね時は一方のブロック３が他方のブロック３の空胴18に嵌挿される。さらに、積み重ね時には、少なくとも３０mmの隙間を有して積み重ねられるため、積み上げられたパレット部材１を取り出す場合にフオークリフトを使用することができる。」と開示されている。
【０００４】
またパレットの構造に関して、特許文献２の段落(００１４)には、「単体としてはパレット規格の統合化の条件を満たしつつ、複数のパレットを縦方向に連結自在に形成することにより、規格を超えた箱型の荷物においても荷物の大きさに応じて対処することができる。」と開示されている。さらに段落(００１５)には「また、パレットの保管においては、連結されたパレットを分解した単体パレット１０の状態で保管できるので、作業が煩雑とはならない。」ということについての開示がある。
【先行技術文献】
【特許文献】
【０００５】
【特許文献１】特開平６‐１７９４４７
【特許文献２】特開平７‐２９１２８７
【発明の概要】
【発明が解決しようとする課題】
【０００６】
特許文献１に記載のパレットは、パレットの回収時や保管時には少ないスペースで済むように積み重ねることを可能とすることを目的とするものであるが、使用材料を少なくすることでコスト低減を図ることには何ら開示されていない。また、これによるパレットの小型化について開示するものではない。
【０００７】
特許文献２に記載のパレットは、複数のパレットを連結自在に形成するものであり、どの大きさの荷物であっても規格で定められたある大きさのパレットを使用して運べるようにするおことを目的としている。つまり、パレットを連結することにより一つのパレットよりも大きな製品を運ぶ場合にも上記した規格のパレットで運搬が可能となるため、複数の大きさのパレットを用意する必要がなくなる。しかしながら、この特許文献２に記載のパレットも特許文献１と同様にパレットの小型化について開示するものではない。また１つのパレットよりも大きな荷物を運ぶ際にはどの大きさの荷物であっても２つ(あるいは３つ)のパレットを連結することになるため、使用材料は増加しコストアップにつながることになる。  
また特許文献２に記載のパレットは、使用後に省スペース、かつ、安定して保管することについて開示するものではない。
【０００８】
また、搬送用パレットは荷物を据付た後は不要となるうえに、専用のパレットであるため、廃棄処分となるケースが多く資源の無駄になるという問題があった。また使用後にパレットを回収したとしても木製の搬送用パレットの場合には損傷により再利用回数が少なくなり、資源の無駄及びコスト増加につながるという問題があった。
【０００９】
上記課題に鑑み本発明の一実施形態においては、使用材料を少なくしてコスト低減が図れることを第１の目的とする。  
また、使用後にコンパクト、かつ、安定して積み重ねて保管できることを第２の目的とする。  
さらに、荷役作業に使用する際に強度が強く耐食性が良く再利用が容易であることを第３の目的とする。
【課題を解決するための手段】
【００１０】
上記課題を解決するために本発明の一実施形態においては、１つの搬送荷物に対して２つの搬送用パレットで搬送が行われる搬送用パレットであって、搬送用パレットは搬送荷物を搬送する場合に、該搬送荷物の下面の中央に対して両側に取り付けられ、取り付けられる場合に、搬送荷物の下面の両側に備えられた挿入孔の一方へ挿入して搬送荷物と搬送用パレットとの固定を行う挿入部材を上面に備え、２つの搬送用パレットが組み合わされる場合に、もう一方のパレットの挿入部材が挿入される挿入孔を上面中央に対して自身の挿入部材と反対側に備え、自身の挿入部材はもう一方の搬送用パレットの挿入孔へ挿入される。
【００１１】
さらに上記形態において以下の態様であることが望ましい。
（１）搬送用荷物と接する上面がプラスチック製であること。
（２）搬送用パレットの正面にはフォークリフトのフォークが挿入される空間が形成されていること。
（３）フォークと接する下面及び上面がプラスチック製であること。
（４）搬送荷物の下面の中央に対して両側に２つの搬送用パレットが取り付けられた状態において、それぞれの搬送用パレットは所定距離だけ離れて取り付けられていること。
【発明の効果】
【００１２】
本発明の一実施形態によれば使用材料を少なくしてコスト低減が図れる。さらに別の形態によれば使用後にコンパクト、かつ、安定して積み重ねて保管できることができる。またさらに別の形態によれば、荷役作業に使用する際に強度が強く耐食性が良く再利用が容易とすることができる。
【図面の簡単な説明】
【００１３】
【図１】図１は本発明の搬送用パレットの斜視図を説明するための図面である。
【図２】図２は本発明の搬送用パレットの正面から見た図を説明するための図面である。
【図３】図３は本発明の搬送用パレットの上面から見た図を説明するための図面である。
【図４】図４は本発明の搬送用パレットの側面から見た図を説明するための図面である。
【図５】図５は本発明の搬送用パレットを製品に取り付けた場合の正面から見た図を説明するための図面である。
【図６】図６は本発明の搬送用パレットを製品に取り付けた場合の側面から見た図を説明するための図面である。
【図７】図７は本発明の搬送用パレットを製品に取り付けた場合の上面から見た図を説明するための図面である。
【図８】図８は本発明の搬送用パレット２個の組み合わせ方法を示した斜視図を説明するための図面である。
【図９】図９は本発明の搬送用パレット２個を組み合わせた場合の斜視図を説明するための図面である。
【発明を実施するための形態】
【００１４】
以下、図面を用いて本発明の一実施形態について説明する。  
図１は本実施例における搬送用パレットの斜視図を説明するための図である。１ａ、１ｂは下板であり、２ａ、２ｂ、２ｃはストッパ３や上板４を支持する支持板である。また、５、６、７は搬送用パレットと搬送製品を締結する固定具であり、これらについては後に詳述する。また、ストッパ３は搬送用パレットを使用後にパレット同士を組み合わせるための嵌合孔３ａを有する。  
なお、図２は図１に示したものと同様のものを正面から見た図であり、搬送用パレットの正面図を説明するための図である。図２おいて、８ａ、８ｂはフォークリフトによって搬送する際のフォーク挿入用の孔である。また図３は搬送用パレットの上面図を説明するための図であり、図４は側面図を説明するための図である。図２〜４における記号は図１に示してものと同様である。
【００１５】
ここで、本実施例の搬送用パレットは、図１に示すものを２つ用いることより１つの製品の運搬を行うものである。  
図５〜７に搬送用パレットを搬送製品に取り付けた図を示す。本実施例においては搬送製品として変圧器を示しているが、これに限定されるものではない。図５は搬送用パレットを製品に取り付けた場合の正面図を説明するための図であり、図６は側面図を説明するための図、さらに図７は上面図を説明するための図を示している。図６に示すように本実施例における搬送用パレットは搬送製品の２箇所に取り付けられて搬送が行われる。このように製品の大きさに合わせた搬送用パレットではなく、搬送製品の重心から対称となる２箇所に取り付けるようにすることで、使用材料を少なくしてコスト低減を図ることができる。なお、搬送用パレットと搬送製品は固定具５〜７で固定されて搬送される。
【００１６】
ここで、パレットを構成している下板１ａ、１ｂ、支持板２ａ、２ｂ、２ｃ、ストッパ３、上板４はそれぞれが固定具（釘等）で固定されている。図５〜７においては搬送製品として変圧器の例が示されているが、本実施例では図６に示すように変圧器を側面から見て両端の下面に搬送用パレットが取り付けられる。そして搬送用パレットには一般的には木材が使用されており、この場合には床面と接する下板１ａ、１ｂやフォークリフトのフォークで持ち上げるストッパ３、上板４は特に損傷が激しい。
【００１７】
そこで本実施例においては強度が強く耐食性の優れたプラスチックを用いることで上記した問題を解決することとしている。さらにプラスチックは環境にも優しい材料であり、搬送用プレートを使用後に回収して再利用回収を増やすことができる。つまり本実施例によれば、搬送用プレートのコスト低減を図ることが可能となる。なお、強度が強いという観点からコストとの兼合いが重要になるが、プラスチックの代わりに金属を用いることも可能である。さらにコスト低減のために強度は弱くなるがダンボールを用いることにしてもよい。
【００１８】
またこの時に、搬送時や屋外保管時に損傷の激しい部位のみにプラスチックを使用することでパレットの製作費用を安くすることができる。例えばパレットにフォークを挿入する際にパレットの下板である１ａ又は１ｂとストッパ３はこのフォークと当たるため特に損傷が大きい。したがって、これらの部位のみをプラスチックにすることでコスト低減を図りながらパレット自体の強度を上げることができる。
【００１９】
またパレットにフォークを挿入後、製品を持ち上げる場合に上板４とストッパ３の損傷が大きくなるため、これらの部分のみをプラスチックとしてもよい。特に上板４は製品搬送中に製品の荷重を受ける部分であるため、上板４のみをプラスチックとすることによってもより少ないプラスチックで強度向上が図れる。
【００２０】
次に搬送用パレットを使用した後に回収する場合の組み合わせる方法について説明する。上記したように本実施例における搬送用パレットは図１に示したものを２つ使用して一つの製品の搬送が行われる。  
図８は、使用後の２つの搬送用パレットを組み合わせる方法を説明するための図面である。本実施例においては搬送用パレットの一方を上下反転し、固定具５を、もう一方の搬送用パレットの嵌合孔３ａに挿入後する。同様に自身の有する嵌合孔３ａにもう一方の搬送用パレットの固定具５を挿入することで搬送用パレット２つを１つの荷姿としてコンパクトにすることが可能となる。
【００２１】
このように本実施例においては搬送製品を搬送する時に使用する固定具５、６、７を用いて、使用後にコンパクトに回収できるように同様に固定具５、６、７を使用する。これにより部品の共有化が図られるため、使用材料を少なくしつつ、コンパクトにして回収を容易にする搬送用パレットを提供することができる。
【００２２】
図９は、本発明の搬送用パレット２個を組み合わせた場合の斜視図であり、２個の搬送用パレットを組み合わせた時の寸法は、Ｘｂ、Ｙｂ、Ｚｂのうち、ＸｂとＸａ、ＹｂとＹａの２辺は同一であるが、残りの１辺ＺｂはＺａの２倍以下にすることができ、コンパクト化が図れる。これにより例えば搬送用パレットを宅配便で返却する際の料金は、１個ずつ返却するよりも２個を組み合わせ１個にした方が安くすることができるので、さらなるコスト低減を図ることができる。また、組み合わせた時の形状は直方体であるため、組み合わせたパレットを積み重ねることも容易となる。
【００２３】
パレットを積み重ねた時にも見える場所である支持板２ａ、または２ｃの少なくとも一方の側面に、返却先表示１０を付けることにより、顧客が使用済パレットを返却する際に手間を省略することができることから、パレットの回収率を上げることにつながる。
【００２４】
以上説明した通り、本実施例は１つの搬送荷物に対して２つの搬送用パレットで搬送が行われる搬送用パレットであって、この搬送用パレットは搬送荷物を搬送する場合に、搬送荷物の下面の中央に対して両側に取り付けられる。つまり、２つのパレットで一つの荷物の搬送を行う搬送用パレットである。そして取り付けられる場合に、搬送荷物の下面の両側に備えられた挿入孔の一方へ挿入して搬送荷物と搬送用パレットとの固定を行う挿入部材を上面に備えている。つまり、本実施例の搬送用パレットは搬送荷物の下面に挿入用の孔が開いているものを想定したものであり、該挿入孔へ挿入部材を挿入することにより荷物が固定される。この挿入孔は荷物の重心に対して対称に開いていればよく、本実施例においては下側の中央に対して両側に開いているものとしている。
【００２５】
そして、２つの搬送用パレットが組み合わされる場合に、もう一方のパレットの挿入部材が挿入される挿入孔を上面中央に対して自身の挿入部材と反対側に備え、自身の挿入部材はもう一方の搬送用パレットの挿入孔へ挿入される。つまり、本実施例の搬送用パレットは上記した挿入部材を荷物搬送後に回収する際によりコンパクトにして回収するために用いる。そしてもう一方の搬送用パレットをひっくり返して２つのパレットを組み合わさるようにして回収を行うものである。このときにもう一方の挿入部材が自身の挿入孔に挿入され固定が行われるので、２つのパレットの固定を行いつつコンパクトにして回収することができる。
【００２６】
さらに、本実施例の搬送用パレットの正面にはフォークリフトのフォークが挿入される空間が形成されている。この空間にフォークが挿入されることにより、荷物搬送が行われる。
【００２７】
さらに、搬送荷物の下面の中央に対して両側に２つの搬送用パレットが取り付けられた状態において、それぞれの搬送用パレットは所定距離だけ離れて取り付けられている。つまり、図６に示すように２つのパレットの距離が小さいだけより大きな搬送用パレットが必要となるが、これはコスト高となるという問題があるので、本実施例においては少なくとも側面から見た場合において搬送用パレット一つ分だけは距離を開けるようにしている。これにより、安定性を保ちつつ、コスト低減が図ることができる。
【００２８】
さらに、専用パレットの再利用回数を増やすために損傷の激しい部位の材質を木材よりも強度、耐食性の優れた材料を使用することが望ましい。  
また、製品１台に２個の専用パレットを使用しているが、宅配便等で回収する場合の料金体系は荷姿の縦、横、高さ寸法の合計寸法と、重量のいずれかで決まることから２個の専用パレットを組み合わせ、１個の荷姿として、２個の専用パレットを別々に配送するよりも配送費用を低減できること。  
また、顧客が使用済パレットを返却する手間を省略するために、パレットに返却先を明記してもよい。
【符号の説明】
【００２９】
１ａ    下板ａ  
１ｂ    下板ｂ  
２ａ    支持板ａ  
２ｂ    支持板ｂ  
２ｃ    支持板ｃ  
３    ストッパ  
３ａ    嵌合孔  
４    上板  
５    固定具１  
６    固定具２  
７    固定具３  
８ａ    フォーク挿入用孔ａ  
８ｂ    フォーク挿入用孔ｂ  
９    搬送製品  
１０    返却先表示  
Ｘａ    搬送用パレット幅寸法  
Ｙａ    搬送用パレット奥行寸法  
Ｚａ    搬送用パレット高さ寸法  
Ｘｂ    搬送用パレット組み合わせ時幅寸法  
Ｙｂ    搬送用パレット組み合わせ時奥行寸法  
Ｚｂ    搬送用パレット組み合わせ時高さ寸法  
【図１】
2011011802.tif 000003
【図２】
2011011802.tif 000004
【図３】
2011011802.tif 000005
【図４】
2011011802.tif 000006
【図５】
2011011802.tif 000007
【図６】
2011011802.tif 000008
【図７】
2011011802.tif 000009
【図８】
2011011802.tif 000010
【図９】
2011011802.tif 000011